【手続補正書】
【提出日】平成18年8月25日(2006.8.25)
【手続補正１】
【補正対象書類名】明細書
【補正対象項目名】０００４
【補正方法】変更
【補正の内容】
【０００４】
これらの成分を測定するための既存の方法は、高価な実験室用の装置を必要とするか、その方法を成功裡に実施するための熟練した操作者を必要とする。例えば、油中の酸化防止剤を検出するためのセンサが米国特許第５，５１８，５９０号明細書に開示されている。しかし、このセンサは１回だけ使用する使い捨て用には設計されておらず、かつ酸化還元剤を使用しない。したがって、酸化還元の反応物を使用する液体試料中の酸化剤または酸化防止剤を検出できる１回だけ使用する使い捨て用に設計されたセンサを得ることが望ましい。
【特許文献１】米国特許第３，５５２，９２８号
【特許文献２】米国特許第４，０５３，３８１号
【特許文献３】米国特許第４，０７６，５９６号
【特許文献４】米国特許第４，１２５，３７２号
【特許文献５】米国特許第４，１６８，１４６号
【特許文献６】米国特許第４，２２４，１２５号
【特許文献７】米国特許第４，２２５，５５７号
【特許文献８】米国特許第４，３０１，４１２号
【特許文献９】米国特許第４，３０１，４１４号
【特許文献１０】米国特許第４，３１９，９６９号
【特許文献１１】米国特許第４，３７４，０１３号
【特許文献１２】米国特許第４，４０４，０６６号
【特許文献１３】米国特許第４，４３１，００４号
【特許文献１４】米国特許第４，４３１，５０７号
【特許文献１５】米国特許第４，５０８，６１３号
【特許文献１６】米国特許第４，５０８，８２１号
【特許文献１７】米国特許第４，５１７，２８７号
【特許文献１８】米国特許第４，５１７，２９１号
【特許文献１９】米国特許第４，５３３，４４０号
【特許文献２０】米国特許第４，５４５，３８２号
【特許文献２１】米国特許第４，５５２，８４０号
【特許文献２２】米国特許第４，６０４，２６４号
【特許文献２３】米国特許第４，６３７，９７８号
【特許文献２４】米国特許第４，６５４，１９７号
【特許文献２５】米国特許第４，７１１，２４５号
【特許文献２６】米国特許第４，７９０，９７９号
【特許文献２７】米国特許第４，７９７，２５６号
【特許文献２８】米国特許第４，８２０，４８９号
【特許文献２９】米国特許第４，８７１，２５８号
【特許文献３０】米国特許第４，８７６，２０５号
【特許文献３１】米国特許第４，８８３，７６４号
【特許文献３２】米国特許第４，８９７，１７３号
【特許文献３３】米国特許第４，９００，４２４号
【特許文献３４】米国特許第４，９１９，７７０号
【特許文献３５】米国特許第４，９４３，５２２号
【特許文献３６】米国特許第４，９６３，８１５号
【特許文献３７】米国特許第４，９８８，４２９号
【特許文献３８】米国特許第４，９９４，２３８号
【特許文献３９】米国特許第５，０５９，９０８号
【特許文献４０】米国特許第５，０９６，８０９号
【特許文献４１】米国特許第５，１２０，４２０号
【特許文献４２】米国特許第５，１２２，２４４号
【特許文献４３】米国特許第５，１２６，０３４号
【特許文献４４】米国特許第５，１２８，０１５号
【特許文献４５】米国特許第５，１４１，８６８号
【特許文献４６】米国特許第５，１５６，９７２号
【特許文献４７】米国特許第５，１７９，００５号
【特許文献４８】米国特許第５，１８５，２５６号
【特許文献４９】米国特許第５，１９２，４１５号
【特許文献５０】米国特許第５，２２９，２８２号
【特許文献５１】米国特許第５，２３９，２５８号
【特許文献５２】米国特許第５，２７２，０８７号
【特許文献５３】米国特許第５，３０６，６２３号
【特許文献５４】米国特許第５，３１２，５９０号
【特許文献５５】米国特許第５，３１４，６０５号
【特許文献５６】米国特許第５，３２０，７３２号
【特許文献５７】米国特許第５，３４２，４９８号
【特許文献５８】米国特許第５，３８２，３４６号
【特許文献５９】米国特許第５，３８４，０２８号
【特許文献６０】米国特許第５，３８５，８４６号
【特許文献６１】米国特許第５，３９３，３９９号
【特許文献６２】米国特許第５，４１３，６９０号
【特許文献６３】米国特許第５，４１８，１４２号
【特許文献６４】米国特許第５，４３７，９９９号
【特許文献６５】米国特許第５，５０８，１７１号
【特許文献６６】米国特許第５，５０９，４１０号
【特許文献６７】米国特許第５，５１８，５９０号
【特許文献６８】米国特許第５，５６７，３０２号
【特許文献６９】米国特許第５，６２８，８９０号
【特許文献７０】米国特許第５，６４５，７０９号
【特許文献７１】米国特許第５，７７６，３２４号
【特許文献７２】米国特許第５，８６３，４００号
【特許文献７３】米国特許第５，９４２，１０２号
【特許文献７４】米国特許第５，９９７，８１７号
【特許文献７５】米国特許第６，２５１，２６０号
【特許文献７６】オーストラリア国特許第Ａ−３１０４２／９３号
【特許文献７７】オーストラリア国特許第Ａ−５４８７３／９４号
【特許文献７８】ドイツ国特許第０３１，０３，４６４号
【特許文献７９】ドイツ国特許第０４２，１２，２８０号
【特許文献８０】ドイツ国特許第２９７，０９，１４１号
【特許文献８１】欧州特許第０，０１７，３７５号
【特許文献８２】欧州特許第０，１２７，９５８号
【特許文献８３】欧州特許第０，１３６，３６２号
【特許文献８４】欧州特許第０，１７１，３７５号
【特許文献８５】欧州特許第０，２１５，４４６号
【特許文献８６】欧州特許第０，２５１，９１５号
【特許文献８７】欧州特許第０，２５５，２９１号
【特許文献８８】欧州特許第０，２６６，２０４号
【特許文献８９】欧州特許第０，２７８，６４７号
【特許文献９０】欧州特許第０，２８９，２６９号
【特許文献９１】欧州特許第０，２９９，７７９号
【特許文献９２】欧州特許第０，３０３，７８４号
【特許文献９３】欧州特許第０，３４５，７８１号
【特許文献９４】欧州特許第０，３５１，８９１号
【特許文献９５】欧州特許第０，３５１，８９２号
【特許文献９６】欧州特許第０，３５９，８３１号
【特許文献９７】欧州特許第０，３６７，４３２号
【特許文献９８】欧州特許第０，４００，９１８号
【特許文献９９】欧州特許第０，４０１，２５７号
【特許文献１００】欧州特許第０，４０７，８００号
【特許文献１０１】欧州特許第０，４１５，６７９号
【特許文献１０２】欧州特許第０，４１８，４０４号
【特許文献１０３】欧州特許第０，４４３，２３１号
【特許文献１０４】欧州特許第０，４５１，９８１号
【特許文献１０５】欧州特許第０，４６３，７９６号
【特許文献１０６】欧州特許第０，４７５，６９２号
【特許文献１０７】欧州特許第０，４７９，３９４号
【特許文献１０８】欧州特許第０，５６０，３３６号
【特許文献１０９】欧州特許第０，５７４，１３４号
【特許文献１１０】欧州特許第０，５８５，９３３号
【特許文献１１１】欧州特許第０，５９３，０９６号
【特許文献１１２】欧州特許第０，６２０，４３７号
【特許文献１１３】欧州特許第０，７３５，３０３号
【特許文献１１４】欧州特許第０，６５８，７６０号
【特許文献１１５】欧州特許第０，７４１，１８６号
【特許文献１１６】欧州特許第０，７６４，４６９号
【特許文献１１７】欧州特許第０，９６４，０５９号
【特許文献１１８】英国特許第２，０２０，４２４号
【特許文献１１９】英国特許第２，１５４，００３号
【特許文献１２０】英国特許第２，１５４，７３５号
【特許文献１２１】英国特許第２，１８６，０７８号
【特許文献１２２】英国特許第２，２０１，２４８号
【特許文献１２３】英国特許第２，２０４，４０８号
【特許文献１２４】英国特許第２，２１５，８４６号
【特許文献１２５】英国特許第２，２３５，０５０号
【特許文献１２６】国際公開第１９８９／０４９６７号
【特許文献１２７】国際公開第１９８９／０８７１３号
【特許文献１２８】国際公開第１９９２／１５７０１号
【特許文献１２９】国際公開第１９９４／０２８４２号
【特許文献１３０】国際公開第１９９５／１６１９８号
【特許文献１３１】国際公開第１９９５／２１９３４号
【特許文献１３２】国際公開第１９９５／２８６３４号
【特許文献１３３】国際公開第１９９７／００４４１号
【特許文献１３４】国際公開第１９９７／１８４６４号
【特許文献１３５】国際公開第１９９８／１１４２６号
【特許文献１３６】国際公開第１９９８／４３０７３号
【特許文献１３７】国際公開第１９９８／４３０７４号
【特許文献１３８】国際公開第１９９９／４６５８５号
【特許文献１３９】国際公開第１９９９／５３３１２号
【特許文献１４０】国際公開第１９９９／５８７０９号
【特許文献１４１】米国特許第４，９４３，５３３号
【特許文献１４２】米国特許第６，１１１，０９６号
【特許文献１４３】米国特許第６，１９３，８６５号
【特許文献１４４】国際公開第１９９４／０３４９６号
【特許文献１４５】ドイツ国特許第２７９，０９，１４１号
【特許文献１４６】国際公開第１９９６／０２８４２号
【特許文献１４７】国際公開第１９９９／４９３０７号
【特許文献１４８】国際公開第１９９９／６２９１８号